(57)【要約】【課題】  折り戸の閉鎖運動終端近傍において、センターヒンジのスプリングによる折り戸の急激な閉鎖運動を緩和するダンパーを組み込むことにより、折り戸閉鎖時の衝撃を緩和する折り戸開閉装置を低コストで提供する。【解決手段】  左右の扉体がセンターヒンジ２によって折畳み自在に連結され、センターヒンジに組み込まれたスプリングにより左右の扉体が閉鎖位置に付勢されるようにした折り戸１であって、扉体の急激な閉鎖運動を緩和するダンパー１０を備え、該ダンパーはシリンダー１１と、ピストン１２並びにピストンロッド１３と、シリンダー１１内でピストンロッドの移動に抵抗力を発生させる流体と、該ピストンロッド１３を常時突出姿勢に付勢するバネ１５とからなり、該バネの力はセンターヒンジに組み込まれたスプリングの扉体閉じ力より小さく設定されている構造。【選択図】図１
2007303184.tif 000002
【特許請求の範囲】
【請求項１】
左右の扉体がセンターヒンジによって折畳み自在に連結され、少なくとも一方の扉体の端部に設けた滑走体がレールに滑動可能に形成され、且つセンターヒンジに組み込まれたスプリングにより左右の扉体が直線姿勢となる閉鎖位置に付勢されるようにした折り戸であって、扉体の急激な閉鎖運動を緩和するダンパーを備え、該ダンパーは、シリンダーと、シリンダー内で摺動可能に収納されたピストンと、該ピストンからシリンダーの端壁を貫通して扉体閉鎖位置に於ける扉面に向かって延出されたピストンロッドと、シリンダー内でピストンロッドの移動に抵抗力を発生させる流体と、該ピストンロッドを常時突出姿勢に付勢するバネとからなり、該バネの力はセンターヒンジに組み込まれたスプリングの扉体閉じ力より小さく設定され、前記ピストンロッドが扉体の閉鎖運動終端近傍において扉体に当接して扉体の急激な閉鎖運動を緩和するように形成されている折り戸開閉装置。
【請求項２】
前記ダンパーが、一方の扉体の滑走体に対して磁石により着脱可能に吸着して共にレールに沿って移動するように形成されており、更に、前記ダンパーが所定の位置まで移動したときに、それ以上の移動を阻止するストッパが設けられている請求項１に記載の折り戸開閉装置。
【請求項３】
前記ダンパーが、扉体の何れか一方の滑走体に遊離不能に連結されている請求項１に記載の折り戸開閉装置。
【請求項４】
前記ダンパーが、ピストン若しくはシリンダーの壁面にエアー抜き孔を備え、シリンダー内に充填される流体がエアーとしたエアーダンパーにより形成されている請求項１〜請求項３に記載の折り戸開閉装置。
【発明の詳細な説明】
【技術分野】
【０００１】
本発明は、折り戸開閉装置に関するもので、殊に、折り戸の急激な閉鎖運動を緩和するダンパーを備えた折り戸開閉装置に関するものである。
【背景技術】
【０００２】
従来、折り戸を手で閉じるときに、閉鎖運動終端近傍において手を離しても、折り戸の左右の扉体を連結するセンターヒンジに組み込まれたスプリングの力により、強制的に左右の扉体が直線姿勢となる最終閉鎖位置までまで閉じるように形成されているのが一般的である。このようなセンターヒンジは、例えば特許文献１〜４で開示されている。
【特許文献１】特公昭５５−４７１９１号公報
【特許文献２】実開昭６３−１３４０８８号公報
【特許文献３】実公平０３−３０５４１号公報
【特許文献４】特開平０３ー２２８９８９号公報
【発明の開示】
【発明が解決しようとする課題】
【０００３】
しかし、センターヒンジに組み込まれたスプリングの力は、折り戸の閉鎖運動終端近傍位置において急激に作用するので、折り戸を閉じたときの衝撃により、振動や衝撃音が発生する等の問題点があった。
【０００４】
そこで本発明は、折り戸の閉鎖運動終端近傍において、前記スプリングによる折り戸の急激な閉鎖運動を緩和するダンパーを組み込むことにより、折り戸閉鎖時の衝撃を緩和して滑らかに閉じることのできる折り戸開閉装置を低コストで提供することを主たる目的とするものである。
【課題を解決するための手段】
【０００５】
上記目的を達成する為に本発明では次のような技術的手段を講じた。即ち、本発明に係る折り戸開閉装置にあっては、左右の扉体がセンターヒンジによって折畳み自在に連結され、少なくとも一方の扉体の端部に設けた滑走体がレールに滑動可能に形成され、且つセンターヒンジに組み込まれたスプリングにより左右の扉体が直線姿勢となる閉鎖位置に付勢されるようにした折り戸であって、扉体の急激な閉鎖運動を緩和するダンパーを備え、該ダンパーは、シリンダーと、シリンダー内で摺動可能に収納されたピストンと、該ピストンからシリンダーの端壁を貫通して扉体閉鎖位置に於ける扉面に向かって延出されたピストンロッドと、シリンダー内でピストンロッドの移動に抵抗力を発生させる流体と、該ピストンロッドを常時突出姿勢に付勢するバネとからなり、該バネの力はセンターヒンジに組み込まれたスプリングの扉体閉じ力より小さく設定され、前記ピストンロッドが扉体の閉鎖運動終端近傍において扉体に当接して扉体の急激な閉鎖運動を緩和するように形成されている構成とした。
【０００６】
ここで上記にいうダンパーとは、ピストンロッド先端にピストンロッドをシリンダー内に押し込もうとする外圧を受けたときに、シリンダー内のピストンがシリンダー内の流体圧力の抵抗力（一般にこの抵抗力を「減衰力」と呼ばれている）により、抵抗力を減衰させながら徐々にピストンロッド押し込み方向に移動される方式の緩衝装置をいう。
【０００７】
本発明において、前記ダンパーが、一方の扉体の滑走体に対して磁石により着脱可能に吸着して共にレールに沿って移動するように形成されており、更に、前記ダンパーが所定の位置まで移動したときに、それ以上の移動を阻止するストッパが設けられている構成とするのがよい。上記所定の位置とは、ダンパーのピストンロッドの抵抗力が扉体に対して効率的に作動する位置であって、扉体の閉鎖姿勢におけるセンターヒンジに近い端縁部分が好ましい。
【０００８】
又本発明では、前記ダンパーを、扉体の何れか一方の滑走体に遊離不能に連結するようにしてもよい。この場合、左右の滑走体の何れか一方がレールに固定される場合はこの固定側の滑走体にダンバーを連結するのが好ましい。
【発明の効果】
【０００９】
本発明は上記の如く構成されているので、折り戸を閉じる際に、閉鎖運動終端近傍においてダンパーのピストンロッドが扉体の面を押しつけてシリンダー内に流体による抵抗力を発生させ、この抵抗力を除々に減衰させながらセンターヒンジのスプリング力により扉体をゆっくりと閉鎖方向に移行させることができるので、センターヒンジのスプリングによる折り戸の急激な閉鎖運動を緩和して、折り戸を滑らかに閉じることができ、衝撃による振動や衝撃音の発生を未然に防止することができると共に、ダンパーを付加する簡単な構造であるから安価に製作することができる、といった効果がある。
【発明を実施するための最良の形態】
【００１０】
図１〜図５は本発明にかかる折り戸開閉装置の一実施例を示すものであって、符号１で折り戸を示す。この折り戸１は、センターヒンジ２によって折畳み可能に連結された左右一対の扉体１ａ、１ｂからなり、各扉体１ａ、１ｂはその遊端部上下面に滑走ピンにより形成された滑走体３が設けられ、この滑走体３が上下の框４に取り付けられたレール５に沿って摺動可能に組み込まれている。尚、図面では下部のレール並びに滑走体は省略されている。尚、本実施例では、扉体１ｂの滑走体３がレール５に固定されている。
【００１１】
前記センターヒンジ２は、前記特許文献で開示されたセンターヒンジと同じように、左右の扉体１ａ、１ｂが直線姿勢となる閉鎖位置に閉じられる際に、その閉鎖運動終端近傍位置で、左右の扉体１ａ、１ｂを閉鎖位置に向かって強制するスプリング（図示せず）が組み込まれたものが使用される。このセンターヒンジの機構は上記特許文献等により広く知られた技術であるのでその詳細な説明は省略する。
【００１２】
本発明では、前記センターヒンジ２のスプリングによる扉体１ａ、１ｂの急激な閉鎖運動を緩和するためにダンパー１０が設けられている。
【００１３】
本実施例にあっては、上記ダンパー１０は所謂エアーダンパーが使用されている。このダンパー１０は図８に示すように、スライダー１６を介して前記レール５に摺動可能に装着されたシリンダー１１と、シリンダー１１内で摺動可能に収納されたピストン１２と、該ピストン１２からシリンダー１１の前端壁を貫通して扉体閉鎖位置（図５参照）に於ける扉面に向かって延出されたピストンロッド１３と、シリンダー１１内でピストンロッド１３の移動に抵抗力を発生させる流体即ちエアーと、前記抵抗力を減衰させるためにシリンダー１１の後端壁に形成されたエアー抜き孔１４と、ピストンロッド１３を常時突出姿勢に付勢するバネ１５とからなる。前記バネ１５の力はセンターヒンジ２に組み込まれたスプリングの扉体閉じ力より小さく設定されている。
【００１４】
前記ダンパー１０は、左右の滑走体３，３の間に配置され、扉体１ａの滑走体３に対して着脱自在に吸着する磁石１７を備えており、折り戸１が図２の解放位置から図５の閉鎖位置に向かって閉じられるときに扉体１ａの滑走体３に吸着してこの滑走体３と共にレール５に沿って移動するように形成されている。そのために磁石１７に吸着される滑走体３は鉄等の磁石に吸着可能な材料で作られている。更に、前記ダンパー１０が所定の位置まで移動したときに、それ以上の移動を阻止するストッパ１８がレール５の一部に取り付けられている。尚、前記所定位置とは、ピストンロッド１３の抵抗力が扉体に対して効率的に作動する位置であって、閉鎖位置における扉体１ｂのセンターヒンジ２に近い端縁部分が理想的である。
【００１５】
今、図２は折り戸１の折り畳み姿勢（開放位置）にある。この位置において、ダンパー１０は扉体１ａの滑走体３と吸着している。この解放位置から折り戸１を閉じ方向に操作すると、その閉鎖運動中間において図３に示すように、ダンパー１０がストッパー１８に当接してダンパー１０がその位置で取り残される。更に、折り戸１が閉鎖運動終端近傍位置まで閉じられると、図４に示すように、扉体１ｂの裏面（図４の上面）がピストンロッド１３の先端に接触し、ピストンロッド１３をピストン１２と共に後退移動させる。このピストン１２の移動に対してシリンダー１１内でエアーによる抵抗力が発生する。このエアーはエアー抜き孔１４から除々に抜けるので、抵抗力が徐々に減衰する。これにより折り戸１はセンターヒンジ２のスプリングの力によりゆっくりと閉鎖方向に閉じられ、最終的にシリンダー１１内のエアーの抵抗力はゼロになって図５に示すように、シリンダーロッド１３がシリンダ１１内に押し込まれ、折り戸１が閉鎖位置に閉じられる。これにより、センターヒンジ２のスプリングによる折り戸の急激な閉鎖運動を緩和して、折り戸を滑らかに閉じることができ、衝撃による振動や衝撃音の発生を防ぐことができる。尚、シリンダー１１内のバネ１５の力はセンターヒンジ２に組み込まれたスプリングの扉体閉じ力より小さく設定されているので、折り戸の閉じ運動を損なうことはない。
【００１６】
また図５の折り戸閉鎖位置から折り戸１を開くと、ダンパー１０が扉体１ａの滑走体３と共にレール５に沿って移動し、この移動に伴ってピストンロッド１３の先端を抑える規制がなくなるので、バネ１５の力によりピストンロッド１３が突出姿勢に復帰する。
【００１７】
尚、本発明ではダンパー１０を折り戸１の何れか一方の滑走体３に連結にして構成することも可能である。図６は、ダンパー１０を固定側の滑走体、即ち扉体１ｂの滑走体１に連結部材１９を介して連結した実施例を示すものであり、図７はダンパー１０を移動側の滑走体、即ち扉体１ａの滑走体３に連結部材１９を介して連結した実施例を示すものである。
【００１８】
尚、上記実施例ではエアーを利用したエアーダンパーを用いたが、図９に示すように、シリンダー１１内にオイルを充填し、ピストン１２によって隔てられた左右のオイル室を連通する連通孔２０を設けた構造のオイルダンパーを利用することも可能である。
【００１９】
以上本発明の実施例について説明したが、本発明は必ずしもこれらの実施例構造のみに限定されるものでない。例えば、上記滑走体３をピンに代えてローラーとしてもよい。その他本発明ではその構成要件を備え、かつ本発明の目的を達成し、上記の効果を奏する範囲内において適宜改変して実施することができるものである。
【産業上の利用可能性】
【００２０】
本発明に係る折り戸開閉装置は、建具や家具等の折り戸全般に利用することが可能である。
【図面の簡単な説明】
【００２１】
【図１】本発明に係る折り戸開閉装置の一実施例を示すものであって要部の斜視図。
【図２】上記折り戸の開放位置を示す概略的な平面図。
【図３】上記折り戸の閉鎖過程を示す断面図。
【図４】上記折り戸の閉鎖過程を示す断面図であって図３の状態から更に進展した過程を示す。
【図５】上記折り戸の閉鎖位置を示す概略的な平面図。
【図６】本発明に係る折り戸開閉装置の別の実施例を示す断面図。
【図７】本発明に係る折り戸開閉装置の更に別の実施例を示す斜視図。
【図８】本発明に称されるダンパーの一例を示す断面図。
【図９】本発明に称されるダンパーの他の例を示す断面図。
【符号の説明】
【００２２】
１  折り戸
１ａ、１ｂ  扉体
２  センターヒンジ
３  滑走体
４  框
５  レール
１０  ダンパー
１１  シリンダー
１２  ピストン
１３  ピストンロッド
１４  エアー抜穴
１５  バネ
１６  スライダー
１７  磁石
１８  ストッパー
１９  連結部材
【図１】
2007303184.tif 000003
【図２】
2007303184.tif 000004
【図３】
2007303184.tif 000005
【図４】
2007303184.tif 000006
【図５】
2007303184.tif 000007
【図６】
2007303184.tif 000008
【図７】
2007303184.tif 000009
【図８】
2007303184.tif 000010
【図９】
2007303184.tif 000011